(57)【要約】【課題】内部導体と外部導体との間に絶縁体が介在された構造の配線材を接続する際の絶縁性能を向上させた配線材の接続構造およびコネクタを提供する。【解決手段】内部導体と外部導体との間に絶縁体が介在された構造の配線材を接続する配線材の接続構造において、前記内部導体に電気的に接続された端子と、前記端子を包囲する絶縁ブロックと、前記外部導体に電気的に接続され前記絶縁ブロックの外側に配置されたシールド部材とを備えたコネクタ同士が接続されてなる構造とする。絶縁ブロックの先端は、シールド部材の先端よりも接続相手のコネクタ方向に延長されていることが望ましい。【選択図】　図１
2004071479.tif 000002
【特許請求の範囲】
【請求項１】
内部導体と外部導体との間に絶縁体が介在された構造の配線材を接続する配線材の接続構造において、前記内部導体に電気的に接続された端子と、前記端子を包囲する絶縁ブロックと、前記外部導体に電気的に接続され前記絶縁ブロックの外側に配置されたシールド部材とを備えたコネクタ同士が接続されてなることを特徴とする配線材の接続構造。
【請求項２】
内部導体と外部導体との間に絶縁体が介在された構造の配線材の接続に用いられるコネクタにおいて、前記内部導体に電気的に接続されたオス端子と、前記オス端子を包囲する絶縁ブロックと、前記外部導体に電気的に接続され前記絶縁ブロックの外側に配置されたシールド部材とを備えてなることを特徴とするコネクタ。
【請求項３】
前記絶縁ブロックは、その先端が前記オス端子の先端よりも接続相手のコネクタ方向に延長されていることを特徴とする、請求項２記載のコネクタ。
【請求項４】
前記絶縁ブロックは、その先端が前記シールド部材の先端よりも接続相手のコネクタ方向に延長されていることを特徴とする、請求項３記載のコネクタ。
【請求項５】
前記オス端子を複数有することを特徴とする、請求項２記載のコネクタ。
【請求項６】
前記絶縁ブロックは、複数の前記オス端子をそれぞれ独立に包囲するように配置されていることを特徴とする、請求項５記載のコネクタ。
【請求項７】
内部導体と外部導体との間に絶縁体が介在された構造の配線材の接続に用いられるコネクタにおいて、前記内部導体に電気的に接続されたメス端子と、前記オス端子を包囲する絶縁ブロックと、前記外部導体に電気的に接続され前記絶縁ブロックの外側に配置されたシールド部材とを備え、前記絶縁ブロックと前記シールド部材との間に間隙が設けられてなることを特徴とするコネクタ。
【請求項８】
前記絶縁ブロックは、その先端が前記シールド部材の先端よりも接続相手のコネクタ方向に延長されていることを特徴とする、請求項７記載のコネクタ。
【請求項９】
前記メス端子を複数有することを特徴とする、請求項７記載のコネクタ。
【請求項１０】
前記絶縁ブロックは、複数の前記メス端子をそれぞれ独立に包囲するように配置されていることを特徴とする、請求項９記載のコネクタ。
【発明の詳細な説明】
【０００１】
【発明の属する技術分野】
本発明は、内部導体と外部導体との間に絶縁体が介在された構造の配線材（例えばシールドケーブル）を接続する配線材の接続構造および配線材の接続に用いられるコネクタに関する。
【０００２】
【従来の技術】
内部導体と外部導体との間に絶縁体が介在された構造の配線材、例えばシールドケーブルを接続するために、シールド構造のコネクタを用いることが一般的である。
【０００３】
このコネクタは、前記内部導体の先端に端子が接続されたシールドケーブルの端末部を覆うシールド部材を有する。そして、シールド部材と端子との間に設けられた空隙によって相互間の絶縁が図られる。
【０００４】
従来のコネクタとして、１本のシールドケーブルの接続に用いられる単極シールドコネクタと、複数本のシールドケーブルの接続に用いられる多極シールドコネクタが知られている。
【０００５】
図１０は、従来の単極シールドコネクタのオスコネクタ側の一例を示す断面図であって、（イ）は全体断面図、（ロ）は部分断面図である。
【０００６】
図１０（イ）において、ケーブル端末部の内部導体１、絶縁体２、外部導体３、外被４が先端からこの順に露出され、内部導体１にはオス端子１００が取り付けられている。
【０００７】
オス端子１００が取り付けられたケーブル端末部は、シールド部材１０１が設けられたハウジング１０２に組みつけられる。シールド部材１０１は、ケーブル端末部の外部導体３と接続されている。
【０００８】
また、シールド部材１０１の先端は、オス端子１００の先端より接続相手のコネクタ方向に延長されている。これは、オス端子１００とシールド部材１０１との間に異物が入り込んで短絡事故が発生することを防ぐために従来から行われていることである。
【０００９】
また、図１０（ロ）のように、オス端子１００に絶縁体のキャップ１０３が取り付けられることがある。このキャップ１０３は、オス端子１００とシールド部材１０１との間に異物が入り込んで短絡事故が発生することを防ぐための部材として従来から用いられている。
【００１０】
図１１は、従来の単極シールドコネクタのメスコネクタ側の一例を示す断面図である。ここで、図１１のメスコネクタは、図１０のオスコネクタと接続されるものを図示している。
【００１１】
図１１において、ケーブル端末部の内部導体１、絶縁体２、外部導体３、外被４が先端からこの順に露出され、内部導体１にはメス端子１１０が取り付けられている。
【００１２】
メス端子１１０が取り付けられたケーブル端末部は、シールド部材１１１が設けられたハウジング１１２に組みつけられる。シールド部材１１１は、ケーブル端末部の外部導体３と接続されている。
【００１３】
図１２は、従来のオスコネクタと従来のメスコネクタとの接続の状態を示す断面図である。なお、図１２には、接続途中の状態を示している。
【００１４】
図１２において、オスコネクタとメスコネクタとは、オスコネクタ側のシールド部材１０１の内側に、メスコネクタ側のシールド部材１１１が接触するように接続される。
【００１５】
また、従来のシールドコネクタとして、例えば特開平１１−２１９７５８号公報に開示されたものが知られている。このコネクタは、複数本のシールドケーブルの接続に用いられる多極コネクタである。
【００１６】
図１３は、従来の多極シールドコネクタの一例を示す断面図である。図１３において、ケーブル端末部の内部導体１、絶縁体２、外部導体３、外被４が先端からこの順に露出され、内部導体１には端子１３０が取り付けられている。
【００１７】
そして、端子１３０が取り付けられたケーブル端末部は、インナーハウジング１３１とアウターハウジング１３２とシールド部材１３３とを有するコネクタとして組みつけられ、ゴム栓１３４で固定されている。
【００１８】
シールドケーブルの外部導体３とシールド部材１３３とは、シールド接触部材１３５、導通ブロック１３６を通して導通されている。
【００１９】
【発明が解決しようとする課題】
ところで、従来のシールドコネクタが使用される電圧について、例えば自動車用電気配線の場合は電圧が１２〜２４Ｖであることが多く、各端子間およびシールド部材と各端子との間の絶縁性能が事実上問題となることはなかった。
【００２０】
しかし、最近では電気自動車等の検討が進んでおり、電圧が数十Ｖ〜数百Ｖとなる自動車用電気配線の検討もあわせて進められている。同時に、コネクタの高耐圧化の検討も必要となり、また信頼性向上の観点からも、シールドコネクタにおけるシールド部材と端子との間および各端子間の絶縁が重要になっており、この部分の絶縁性能を更に向上させることが求められている。
【００２１】
ここで、図１０ないし図１３のシールドコネクタの絶縁性能について、例えばコネクタ内に導電性異物が入り込んだ場合、コネクタ内部で結露した場合、オスメスコネクタ嵌合解除後に異物が混入した場合等を考慮すると、端子とシールド部材との空間距離および沿面距離を可能な限り大きくとることが望ましい。
【００２２】
一方、前述の空間距離および沿面距離を単純に大きくとろうとすると、必然的にコネクタが大型化し、コネクタの小型化の要求と相反することとなる。
【００２３】
そこで、本発明では、上記課題を解決するため、内部導体と外部導体との間に絶縁体が介在された構造の配線材を接続する際の絶縁性能を向上させた配線材の接続構造を提供することを目的とする。
【００２４】
また、上記配線材の接続構造に用いられるコネクタ内におけるシールド部材と端子との間の絶縁性能を高めたコネクタを提供することを目的とする。
【００２５】
【課題を解決するための手段】
本発明における請求項１の発明は、内部導体と外部導体との間に絶縁体が介在された構造の配線材を接続する配線材の接続構造において、前記内部導体に電気的に接続された端子と、前記端子を包囲する絶縁ブロックと、前記外部導体に電気的に接続され前記絶縁ブロックの外側に配置されたシールド部材とを備えたコネクタ同士が接続されてなることを特徴とする。
【００２６】
本発明における請求項２の発明は、内部導体と外部導体との間に絶縁体が介在された構造の配線材の接続に用いられるコネクタにおいて、前記内部導体に電気的に接続されたオス端子と、前記オス端子を包囲する絶縁ブロックと、前記外部導体に電気的に接続され前記絶縁ブロックの外側に配置されたシールド部材とを備えてなることを特徴とする。
【００２７】
本発明における請求項３の発明は、請求項２の発明において、前記絶縁ブロックは、その先端が前記オス端子の先端よりも接続相手のコネクタ方向に延長されていることを特徴とする。
【００２８】
本発明における請求項４の発明は、請求項３の発明において、前記絶縁ブロックは、その先端が前記シールド部材の先端よりも接続相手のコネクタ方向に延長されていることを特徴とする。
【００２９】
本発明における請求項５の発明は、請求項２の発明において、前記オス端子を複数有することを特徴とする。
【００３０】
本発明における請求項６の発明は、請求項５の発明において、前記絶縁ブロックは、複数の前記オス端子をそれぞれ独立に包囲するように配置されていることを特徴とする。
【００３１】
本発明における請求項７の発明は、内部導体と外部導体との間に絶縁体が介在された構造の配線材の接続に用いられるコネクタにおいて、前記内部導体に電気的に接続されたメス端子と、前記オス端子を包囲する絶縁ブロックと、前記外部導体に電気的に接続され前記絶縁ブロックの外側に配置されたシールド部材とを備え、前記絶縁ブロックと前記シールド部材との間に間隙が設けられてなることを特徴とする。
【００３２】
本発明における請求項８の発明は、請求項７の発明において、前記絶縁ブロックは、その先端が前記シールド部材の先端よりも接続相手のコネクタ方向に延長されていることを特徴とする。
【００３３】
本発明における請求項９の発明は、請求項７の発明において、前記メス端子を複数有することを特徴とする。
【００３４】
本発明における請求項１０の発明は、請求項９の発明において、前記絶縁ブロックは、複数の前記メス端子をそれぞれ独立に包囲するように配置されていることを特徴とする。
【００３５】
請求項１の配線材の接続構造の発明は、内部導体に電気的に接続された端子と、前記端子を包囲する絶縁ブロックと、前記外部導体に電気的に接続され前記絶縁ブロックの外側に配置されたシールド部材とを備えたコネクタ同士が接続されてなるため、コネクタ内におけるシールド部材と端子との間の空間距離および沿面距離を大きくすることが可能となり、配線材の接続構造としての絶縁性能を高めることが可能となる。
【００３６】
また、請求項２のコネクタの発明は、内部導体と外部導体との間に絶縁体が介在された構造の配線材の接続に用いられるコネクタにおいて、前記内部導体に電気的に接続されたオス端子と、前記オス端子を包囲する絶縁ブロックと、前記外部導体に電気的に接続され前記絶縁ブロックの外側に配置されたシールド部材とを備えてなるため、コネクタ内におけるシールド部材とオス端子との間の空間距離および沿面距離を大きくすることが可能となり、小型化を図りつつ絶縁性能が向上したオスコネクタを得ることが可能となる。
【００３７】
また、請求項３ないし請求項６のコネクタの発明は、請求項２のコネクタの発明の効果をさらに高める発明であって、絶縁性能がさらに向上したオスコネクタを得ることが可能となる。
【００３８】
また、請求項７のコネクタの発明は、内部導体と外部導体との間に絶縁体が介在された構造の配線材の接続に用いられるコネクタにおいて、前記内部導体に電気的に接続されたメス端子と、前記オス端子を包囲する絶縁ブロックと、前記外部導体に電気的に接続され前記絶縁ブロックの外側に配置されたシールド部材とを備え、前記絶縁ブロックと前記シールド部材との間に間隙が設けられてなるため、コネクタ内におけるシールド部材とメス端子との間の空間距離および沿面距離を大きくすることが可能となり、小型化を図りつつ絶縁性能が向上したメスコネクタを得ることが可能となる。
【００３９】
また、請求項８ないし請求項１０のコネクタの発明は、請求項７のコネクタの発明の効果をさらに高める発明であって、絶縁性能がさらに向上したメスコネクタを得ることが可能となる。
【００４０】
【発明の実施の形態】
本発明の実施の形態を、図面を用いて説明する。
【００４１】
図１は本発明の実施形態であるコネクタのオスコネクタ側の一例を示す断面図である。図１は、１本のシールドケーブルの接続に用いられる単極シールドコネクタを示している。
【００４２】
図１において、ケーブル端末部の内部導体１、絶縁体２、外部導体３、外被４が先端からこの順に露出され、内部導体１にはオス端子５が取り付けられている。
【００４３】
オス端子５が取り付けられたケーブル端末部は、絶縁ブロック６に組み付けられる。絶縁ブロック６の外部には、シールド部材７が設けられている。シールド部材７は、ケーブル端末部の外部導体３と接続されている。
【００４４】
なお、必要に応じて、シールド部材７の外側に図示しない絶縁物を配置したり、図示しないコネクタハウジングを設けたりすることも可能である。
【００４５】
ここで、オス端子５の先端の位置と、絶縁ブロック６の先端の位置と、シールド部材７の先端の位置との関係は、要求される絶縁性能に応じて適宜設定することが可能である。
【００４６】
具体的には、絶縁ブロック６の先端を、接続相手のコネクタ方向に延長することにより、従来のシールドコネクタと比較して、オス端子５とシールド部材７との間の沿面距離を長くすることができ、コネクタの小型化を図りつつ絶縁性能を向上させることが可能となる。その一例を以下に説明する。
【００４７】
図２は、図１のコネクタの先端を示す図であって、（イ）（ロ）はそれぞれ一例を示す断面図である。
【００４８】
図２（イ）のように、絶縁ブロック６の先端を、オス端子５の先端よりも接続相手のコネクタ方向に延長すると、オス端子５とシールド部材７との間の沿面距離を長くすることができ、コネクタの小型化を図りつつ絶縁性能を向上させることが可能となる。
【００４９】
また、絶縁ブロック６の先端をさらに接続相手のコネクタ方向に延長することにより、オス端子５とシールド部材７との間の空間距離を長くすることも可能となる。
【００５０】
また、図２（ロ）のように、絶縁ブロック６の先端を、さらにシールド部材７の先端よりも接続相手のコネクタ方向に延長すると、オス端子５とシールド部材７との間の沿面距離および空間距離を長くすることができ、絶縁性能をさらに向上させることが可能となる。
【００５１】
上記のとおり、本発明の実施形態は単極シールドコネクタのオスコネクタ側に適用することが可能であるが、単極シールドコネクタのメスコネクタ側にも適用可能である。
【００５２】
図３は、本発明の実施形態であるコネクタのメスコネクタ側の一例を示す断面図である。図３は、図１のオスコネクタと接続可能な形状のメスコネクタを示している。
【００５３】
図３において、ケーブル端末部の内部導体１、絶縁体２、外部導体３、外被４が先端からこの順に露出され、内部導体１にはメス端子８が取り付けられている。
【００５４】
メス端子８が取り付けられたケーブル端末部は、絶縁ブロック９に組み付けられる。絶縁ブロック９の外部には、シールド部材１０が設けられている。シールド部材１０は、ケーブル端末部の外部導体３と接続されている。
【００５５】
また、絶縁ブロック９とシールド部材１０との間には間隙が設けられている。この間隙が設けられる目的は、接続相手のオスコネクタを収容するためであり、さらにメス端子８とシールド部材１０との間の沿面距離を長くするためである。この構成により、コネクタの小型化を図りつつコネクタの絶縁性能を向上させることが可能となる。
【００５６】
なお、必要に応じて、シールド部材１０の外側に図示しない絶縁物を配置したり、図示しないコネクタハウジングを設けたりすることも可能である。
【００５７】
ここで、メス端子８の先端の位置と、絶縁ブロック９の先端の位置と、シールド部材１０の先端の位置との関係は、要求される絶縁性能に応じて適宜設定することが可能である。
【００５８】
具体的には、絶縁ブロック９の先端を、接続相手のコネクタ方向に延長することにより、従来のシールドコネクタと比較して、メス端子８とシールド部材１０との間の沿面距離を長くすることができ、絶縁性能を向上させることが可能となる。
【００５９】
特に、絶縁ブロック９の先端を、シールド部材１０の先端よりも接続相手のコネクタ方向に延長すると、メス端子８とシールド部材１０との間の沿面距離および空間距離を長くすることができ、絶縁性能をさらに向上させることが可能となる。
【００６０】
このように、本発明の実施形態は単極シールドコネクタに適用することが可能であるが、多極シールドコネクタにも同様に適用可能である。以下、その一例を説明する。
【００６１】
図４は本発明の実施形態である多極シールドコネクタのオスコネクタ側の組立状態を示す斜視図である。
【００６２】
図４において、４１はオス端子５を含むケーブル端末部、４２は絶縁ブロック、４３はシールド部材、４４はハウジング、４５はリテーナである。
【００６３】
図４における絶縁ブロック４２は、複数のケーブル端末部４１をそれぞれ独立に包囲する形状となっている。この絶縁ブロック４２により、シールド部材４３とオス端子５との間、各オス端子５相互間の空間距離および沿面距離を長くすることが可能となり、コネクタの小型化を図りつつコネクタの絶縁性能を向上させることが可能となる。
【００６４】
なお、図４に図示された多極シールドコネクタは、防水機能を有するものであるが、これはあくまでも一例であって、非防水コネクタにも本発明は適用可能である。すなわち、ハウジング４４、リテーナ４５は、実際の使用形態により省略することも可能である。
【００６５】
次に、図４における組立状態を説明する。オス端子５が取り付けられた端末部４１は、絶縁ブロック４２にそれぞれ独立に組み込まれる。絶縁ブロック４２の外側にはシールド部材４３が配置され、さらにその外側にはハウジング４４が配置され、一体化される。その後、ハウジング４４のシールドケーブル取り付け側からリテーナ４５を取り付けてオスコネクタの組み立てが完了する。
【００６６】
次に、図４の多極シールドコネクタのオスコネクタ側と接続されるメスコネクタ側について説明する。
【００６７】
図５は本発明の実施形態である多極シールドコネクタのメスコネクタ側の組立状態を示す斜視図である。
【００６８】
図５において、５１はメス端子８を含むケーブル端末部、５２は絶縁ブロック、５３はシールド部材、５４はハウジング、５５はリテーナ、５６は防水パッキンである。
【００６９】
図５における絶縁ブロック５２は、複数のケーブル端末部５１をそれぞれ独立に包囲する形状となっている。この絶縁ブロック５２により、各メス端子８相互間の空間距離および沿面距離を長くすることが可能となり、コネクタの小型化を図りつつ絶縁性能を向上させることが可能となる。
【００７０】
さらに、絶縁ブロック５２とシールド部材５３との間には間隙が設けられている。この間隙が設けられる目的は、接続相手のオスコネクタを収容するためであり、さらにメス端子８とシールド部材５３との間の沿面距離を長くするためである。この構成により、コネクタの絶縁性能を向上させることが可能となる。
【００７１】
なお、図５に図示された多極シールドコネクタは、防水機能を有するものであるが、これはあくまでも一例であって、非防水コネクタにも本発明は適用可能である。すなわち、ハウジング５４、リテーナ５５、防水パッキン５６は、実際の使用形態により省略することも可能である。
【００７２】
図５における絶縁ブロック５２は、ケーブル端末部５１をそれぞれ独立に包囲する形状となっている。この絶縁ブロック５２により、シールド部材５３と各メス端子８との間、各メス端子８相互間の空間距離および沿面距離を長くすることが可能となり絶縁性能を向上させることが可能となる。
【００７３】
次に、図５における組立状態を説明する。メス端子８が取り付けられた端末部５１は、絶縁ブロック５２にそれぞれ独立に組み込まれる。絶縁ブロック５２の外側にはシールド部材５３が配置され、さらにその外側にはハウジング５４が配置され、一体化される。その後、ハウジング５４のシールドケーブル取り付け側からリテーナ５５を取り付けてメスコネクタの組み立てが完了する。
【００７４】
ここで、図４におけるオス端子５、図５におけるメス端子８として、ファストン端子を示しているが、本実施形態における端子の種類はこれに限られない。
【００７５】
さらに、図４のオスコネクタ側の絶縁ブロック４２は、図５のメスコネクタ側の絶縁ブロック５２と嵌合可能な形状となっていることが、絶縁性能を向上させる観点から望ましい。
【００７６】
図６は本発明のオスコネクタ側のハウジングにオス端子が収容された状態を示す断面図であって、（イ）は上断面図、（ロ）は側断面図である。
【００７７】
図６において、シールドケーブルの端末部４１は、内部導体１、絶縁体２、外部導体３、外被４、外部導体３を押さえる金具６１、防水栓６２を有する。
【００７８】
また、６３はシールド部材端部であって、シールド部材端部６３はカール状となってバネ性を有しており、金具６１を介してシールドケーブルの外部導体３と電気的に接続されるようになっている。
【００７９】
図６（イ）に示されるように、絶縁ブロック４２が各オス端子５をそれぞれ独立に包囲することにより、各オス端子５がそれぞれ独立に包囲されない場合に比較して、オス端子５とシールド部材４３との間の空間距離および沿面距離を長くすることが可能となる。
【００８０】
また、絶縁ブロック４２の先端を、各オス端子５の先端よりも接続相手のコネクタ方向に延長することにより、オス端子５とシールド部材４３との間、各オス端子５相互間の空間距離および沿面距離をさらに長くすることが可能となり、コネクタの小型化を図りつつ絶縁性能を高めることができる。
【００８１】
具体的には、絶縁ブロック４２により各オス端子５をそれぞれ独立に包囲することにより、各オス端子５がそれぞれ独立に包囲されない場合に比較して約３倍以上の沿面距離を取ることが可能となる。
【００８２】
図７は本発明の実施形態である多極シールドコネクタのオスコネクタ側とメスコネクタ側とが嵌合した状態を示す断面図であって、（イ）が上断面図、（ロ）側断面図である。
【００８３】
図７において、７１はメスコネクタ側のケーブル端末部の外部導体３を押さえる金具、７２は防水栓、７３はオスメス両コネクタに設けられているシールド部材同士の電気的接続を図るためのロック部、７４はシールド部材５３の端末部である。その他の記号は図４ないし図６を用いて既に説明しているため、ここでは説明を省略する。
【００８４】
図７のように、オスコネクタの絶縁ブロック４２により形成される空間が、メスコネクタの絶縁ブロック５２をほぼ隙間なく収容する形状となっているので、コネクタ内のオス端子５とメス端子８との接続部の周囲が絶縁物で満たされ、コネクタの小型化を図りつつ絶縁性能を高めることができる。
【００８５】
なお、本実施形態において、ハウジングはインナーハウジングとアウターハウジングとを組み合わせて構成されるものを例示したが、ハウジングは一括成形されたものであってもよく、３つ以上の部材を組み合わせたものであってもよい。
【００８６】
図８は本発明の実施形態である多極シールドコネクタのオスコネクタ側の一例を示す斜視図である。
【００８７】
図８において、絶縁ブロック４２は、オス端子５をそれぞれ独立に収容するように設けられ、その外側にシールド部材４３が配置され、さらにその外側にはハウジング４４が配置されている。
【００８８】
図９は本発明の実施形態である多極シールドコネクタのメスコネクタ側の一例を示す斜視図である。
【００８９】
図９において、絶縁ブロック５２は、メス端子８をそれぞれ独立に収容するように設けられ、その外側にシールド部材５３が配置され、さらにその外側にはハウジング５４が配置されている。また、図９において、絶縁ブロック５２とシールド部材５３との間には間隙が設けられている。
【００９０】
そして、図８のオスコネクタと図９のメスコネクタとが嵌合した状態においては、図７に図示した状態と同様、オスコネクタの絶縁ブロック４２により形成される空間が、メスコネクタに設けられた絶縁ブロック４３をほぼ隙間なく収容する形状となっているので、コネクタ内のオス端子５とメス端子８との接続部の周囲が絶縁物で満たされ、コネクタの小型化を図りつつ絶縁性能を向上させることが可能となる。
【００９１】
また、絶縁ブロック５２とシールド部材５３との間隙は、図８のオスコネクタの絶縁ブロック４２およびシールド部材４３をほぼ隙間なく収容するために設けられるものであって、図９のメスコネクタの絶縁ブロック５２とシールド部材５３との間も絶縁物で満たされるため、さらに絶縁性能を向上させることが可能となる。
【００９２】
ここで、図１ないし図９における絶縁ブロック、ハウジングの材料としては、例えばポリブチレンテレフタレート（ＰＢＴ）、ナイロン、ポリプロピレン（ＰＰ）などの合成樹脂材料、またはこれらにガラス繊維等を混合したもの等を用いることができる。これらの材料を選択することにより、本発明の実施形態のコネクタを好適に実現することが可能となる。
【００９３】
また、図１ないし図９に示されたコネクタを用いて、内部導体と外部導体との間に絶縁体が介在された構造の配線材を接続する配線材の接続構造を構成すると、コネクタ内におけるシールド部材と端子との間の空間距離および沿面距離を大きくすることが可能となり、配線材の接続構造としての絶縁性能を高めることが可能となる。
【００９４】
なお、本発明の実施形態は、上述したものに限らず、特許請求の範囲に記載された事項の範囲内で適宜変更が可能であることはいうまでもない。
【００９５】
例えば、図１ないし図９には、すべて配線材がシールドケーブルであるコネクタが図示されているが、配線材はシールドケーブルには限らず、内部導体と外部導体との間に絶縁体が介在された構造の配線材であれば、どのような配線材であってもよい。
【００９６】
具体的には、平面状の配線材なども適用可能であり、ストリップ線路またはマイクロストリップ線路などが形成された回路基板、シールド構造の平面状配線材などを適用することが可能である。
【００９７】
【発明の効果】
以上のとおり、本発明によれば、下記の優れた効果を奏する。
【００９８】
請求項１の配線材の接続構造の発明によれば、内部導体に電気的に接続された端子と、前記端子を包囲する絶縁ブロックと、前記外部導体に電気的に接続され前記絶縁ブロックの外側に配置されたシールド部材とを備えたコネクタ同士が接続されてなるため、コネクタ内におけるシールド部材と端子との間の空間距離および沿面距離を大きくすることが可能となり、コネクタの小型化を図りつつ配線材の接続構造としての絶縁性能を高めることが可能となる。
【００９９】
また、請求項２のコネクタの発明によれば、内部導体と外部導体との間に絶縁体が介在された構造の配線材の接続に用いられるコネクタにおいて、前記内部導体に電気的に接続されたオス端子と、前記オス端子を包囲する絶縁ブロックと、前記外部導体に電気的に接続され前記絶縁ブロックの外側に配置されたシールド部材とを備えてなるため、コネクタ内におけるシールド部材とオス端子との間の空間距離および沿面距離を大きくすることが可能となり、小型化を図りつつ絶縁性能が向上したオスコネクタを得ることが可能となる。
【０１００】
また、請求項３ないし請求項６のコネクタの発明によれば、請求項２のコネクタの発明の効果をさらに高めることが可能となり、絶縁性能がさらに向上したオスコネクタ、多極コネクタなどを得ることが可能となる。
【０１０１】
また、請求項７のコネクタの発明によれば、内部導体と外部導体との間に絶縁体が介在された構造の配線材の接続に用いられるコネクタにおいて、前記内部導体に電気的に接続されたメス端子と、前記オス端子を包囲する絶縁ブロックと、前記外部導体に電気的に接続され前記絶縁ブロックの外側に配置されたシールド部材とを備え、前記絶縁ブロックと前記シールド部材との間に間隙が設けられてなるため、コネクタ内におけるシールド部材とメス端子との間の空間距離および沿面距離を大きくすることが可能となり、小型化を図りつつ絶縁性能が向上したメスコネクタを得ることが可能となる。
【０１０２】
また、請求項８ないし請求項１０のコネクタの発明によれば、請求項７のコネクタの発明の効果をさらに高めることが可能となり、絶縁性能がさらに向上したメスコネクタ、多極コネクタなどを得ることが可能となる。
【図面の簡単な説明】
【図１】本発明の実施形態であるコネクタのオスコネクタ側の一例を示す断面図である。
【図２】図１のコネクタの先端を示す図であって、（イ）（ロ）はそれぞれ一例を示す断面図である。
【図３】本発明の実施形態であるコネクタのメスコネクタ側の一例を示す断面図である。
【図４】本発明の実施形態である多極シールドコネクタのオスコネクタ側の組立状態を示す斜視図である。
【図５】本発明の実施形態である多極シールドコネクタのメスコネクタ側の組立状態を示す斜視図である。
【図６】本発明のオスコネクタ側のハウジングにオス端子が収容された状態を示す断面図であって、（イ）は上断面図、（ロ）は側断面図である。
【図７】本発明の実施形態である多極シールドコネクタのオスコネクタ側とメスコネクタ側とが嵌合した状態を示す断面図であって、（イ）が上断面図、（ロ）側断面図である。
【図８】本発明の実施形態である多極シールドコネクタのオスコネクタ側の一例を示す斜視図である。
【図９】本発明の実施形態である多極シールドコネクタのメスコネクタ側の一例を示す斜視図である。
【図１０】従来の単極シールドコネクタのオスコネクタ側の一例を示す断面図であって、（イ）は全体断面図、（ロ）は部分断面図である。
【図１１】従来の単極シールドコネクタのメスコネクタ側の一例を示す断面図である。
【図１２】従来のオスコネクタと従来のメスコネクタとの接続の状態を示す断面図である。
【図１３】従来の多極シールドコネクタの一例を示す断面図である。
【符号の説明】
１　内部導体
２　絶縁体
３　外部導体
４　外被
５　オス端子
６　絶縁ブロック
７　シールド部材
８　メス端子
９　絶縁ブロック
１０　シールド部材
４１、５１　ケーブル端末部
４２、５２　絶縁ブロック
４３、５３　シールド部材
４４、５４　ハウジング
４５、５５　リテーナ
５６　防水パッキン
６１、７１　金具
６２、７２　防水栓
６３、７４　シールド部材端部
７３　ロック部
１００　オス端子
１０１、１１１　シールド部材
１０２、１１２　ハウジング
１０３　キャップ
１１０　メス端子
１３０　端子
１３１　インナーハウジング
１３２　アウターハウジング
１３３　シールド部材
１３４　ゴム栓
１３５　シールド接触部材
１３６　導通ブロック
【図１】
2004071479.tif 000003
【図２】
2004071479.tif 000004
【図３】
2004071479.tif 000005
【図４】
2004071479.tif 000006
【図５】
2004071479.tif 000007
【図６】
2004071479.tif 000008
【図７】
2004071479.tif 000009
【図８】
2004071479.tif 000010
【図９】
2004071479.tif 000011
【図１０】
2004071479.tif 000012
【図１１】
2004071479.tif 000013
【図１２】
2004071479.tif 000014
【図１３】
2004071479.tif 000015